(57)【要約】本発明は、冷蔵保管が要求される化粧品を保管することができるように冷蔵機能を提供すると同時に、新しい機能と構造を有する化粧台を提供することで、消費者の好みの選択の幅を広げ、ユーザビリティーと機能性を有するようにし、製品の競争力を増大させることができるコスメテーブルに関する。【選択図】図１
2020535851.tif 000002
【特許請求の範囲】
【請求項１】
片側に開放された収容空間を備えるテーブルボディと、
前記テーブルボディの収容空間に備えられる上部開放された支持ケースと、
前記支持ケース内に脱着可能に安着し、化粧品を収容保管する化粧品収容ケースと、
前記化粧品収容ケースの片側に構成され、前記化粧品収容ケースに冷気を提供するための冷気発生手段と、
前記テーブルボディに構成され、前記化粧品収容ケースを乗下降駆動させるための乗下降用駆動手段と、
前記支持ケースと化粧品収容ケースとの間に構成され、前記化粧品収容ケースの乗下降移動をガイドするためのケースガイド手段と、
ミラー機能を提供するための反射面を有し、前記テーブルボディの収容空間の開放面を開閉する開閉パネルと、
前記テーブルボディに構成され、前記開閉パネルを平面状態で所定の角度で起立した状態で駆動させるためのパネル開閉用駆動手段と、
前記収容空間の上部に構成され、前記パネル開閉用駆動手段の駆動による開閉パネルの移動をガイドするためのパネル移動ガイド手段と、
前記冷気発生手段と乗下降用駆動手段及びパネル開閉用駆動手段に電力を供給するように連結される電源部と、
前記テーブルボディの片側に構成され、前記冷気発生手段、乗下降用駆動手段、パネル開閉用駆動手段、及び電源部を制御するためのコントロールパネルと、を含む、コスメテーブル。
【請求項２】
前記乗下降用駆動手段は、乗降駆動シャフトが前記支持ケースの底面を貫通し、前記化粧品収容ケースに結合されるリニアモータで構成される、請求項１に記載のコスメテーブル。
【請求項３】
前記乗下降用駆動手段は、
前記支持ケースの両側面のそれぞれに上下方向に開口された開口スロットと、
前記化粧品収容ケースの両側面に形成され、前記開口スロットを介して突出する連結部材と、
前記支持ケースの両側面で前記開口スロットに平行に形成され、前記連結部材が移動可能に結合される送りねじ部材と、
前記送りねじ部材を回転駆動させるための正逆駆動可能な駆動モータと、を含む、請求項１に記載のコスメテーブル。
【請求項４】
前記乗下降用駆動手段は、
前記支持ケースの片側に備えられ、正逆回転可能な正逆回転モータと、
前記正逆回転モータの正逆回転力が伝達される回転シャフトと、
一端部は前記回転シャフトに連結され、他端部は前記支持ケースの背面を接触支持するように備えられ、前記他端部は、前記支持ケースの背面に傾斜して接触支持されるように備えられる一つ以上の接触駆動バーと、を含む、請求項１に記載のコスメテーブル。
【請求項５】
前記ケースガイド手段は、
前記支持ケースの底面に形成される一つ以上のガイド孔と、
一端が前記化粧品収容ケースに結合され、前記ガイド孔に上下摺動移動可能に備えられるガイド部材と、を含む、請求項１に記載のコスメテーブル。
【請求項６】
前記ケースガイド手段は、
前記支持ケースと前記化粧品収容ケースの対向面のうちの一つに形成される一つ以上のガイド溝と、
前記支持ケースと化粧品収容ケースの対向面のうちのもう一つに形成され、前記ガイド溝に沿ってガイドされる一つ以上のガイド突起と、を含む、請求項１に記載のコスメテーブル。
【請求項７】
前記パネル開閉用駆動手段は、
前記支持ケースの片側に備えられる正逆回転可能な正逆回転モータと、
前記正逆回転モータの回転軸に連結される回転シャフトと、
前記開閉パネルの背面の片側に形成された回動シャフトと、
一端部は、前記回動シャフトの両端部側にそれぞれ結合され、他端部は、前記回転シャフトに結合される連結フレームと、
一端部は、前記回動シャフトの両端部に固定結合され、他端部は、前記開閉パネルの両縁の中間部又は中間部よりも下部側に回転可能に結合される連動リンク部材と、を含む、請求項１に記載のコスメテーブル。
【請求項８】
前記パネル開閉用駆動手段は、
前記支持ケースの片側に備えられる正逆回転可能な正逆回転モータと、
前記正逆回転モータの回転軸に連動軌道ベルトを媒介として連結され、前記支持ケースに構成される一つ以上の支持体により回転可能に支持され、両端部にそれぞれプーリーが備えられる回転シャフトと、
前記支持ケースの両側面前方のそれぞれに回転可能に備えられる回転プーリーと、
前記回転プーリーと前記回転シャフトの両端部のプーリー間を連結する駆動軌道ベルトと、
前記駆動軌道ベルトに固定され、上端部で下記のパネル移動ガイド手段を構成するガイドローラに連結される移動ブロック体と、を含む、請求項１に記載のコスメテーブル。
【請求項９】
前記パネル開閉用駆動手段は、
前記支持ケースの片側に備えられ、正逆回転可能な正逆回転モータと、
前記正逆回転モータの端部に備えられるギアと、
前記ギアと歯合するラックギアを備え、上下方向に線形移動する線形移動フレームと、
前記支持ケースに設けられ、前記線形移動フレームの両端部を移動可能に支持し、上端部で前記開閉パネルの背面側上端部に回転可能に結合される線形移動支持フレームと、を含む、請求項１に記載のコスメテーブル。
【請求項１０】
前記パネル移動ガイド手段は、
前記テーブルボディの収容空間の上端部の両壁面又は前記支持ケースの上端部の両壁面に構成されるガイドレールと、
前記開閉パネルの下端部両側に回転自在に備えられ、前記ガイドレールに沿ってガイドされるガイドローラと、を含む、請求項１に記載のコスメテーブル。
【請求項１１】
前記化粧品収容ケースに向かう側の前記開閉パネルには断熱カバー部材が備えられ、
前記断熱カバー部材の背面側縁周又は前記テーブルボディの収容空間の上端縁周のうちの一つには、冷気が通り抜けることを防止するためのパッキング部材が備えられ、
前記テーブルボディの収容空間の上端縁又は前記断熱カバー部材の背面側縁周のうちのもう一つには、前記パッキング部材が密着される段付部が形成される、請求項１に記載のコスメテーブル。
【請求項１２】
前記冷気発生手段は、前記化粧品収容ケースの片側に備えられ、ペルティエ効果（Ｐｅｌｔｉｅｒ  Ｅｆｆｅｃｔ）を発生する熱電素子と、片側は前記化粧品収容ケースに連通され、他側は前記熱電素子の片面に備えられるコールドシンクと、前記熱電素子の他面に備えられるヒートシンクと、前記ヒートシンクに備えられ、発生熱を送風させる防熱ファンとを含み、
前記防熱ファンに対向する前記支持ケースの片面にはグリルが形成され、
前記化粧品収容ケースの底部は、高さが異なって段差となり、複数の区画壁に区画されて構成される、請求項１に記載のコスメテーブル。
【請求項１３】
前記電源部は、前記冷気発生手段、乗下降用駆動手段、及びパネル開閉用駆動手段にそれぞれ電力を供給するための電力配線用回路モジュール、及び前記電力配線用回路モジュールに電力を提供するように連結され、前記テーブルボディから引き出される電源ケーブルを含み、
前記コントロールパネルは、前記電力配線用回路モジュールを制御するように前記テーブルボディの片側に構成される複数の制御操作部、及び前記電力配線用回路モジュールの電力が印加されているか否かを確認することができる電源発光部を含み、
前記制御操作部は、前記電力配線用回路モジュールの電源をオン／オフするように切り替えられる電源ボタン、前記乗下降用駆動手段の正逆回転モータの正逆駆動を制御する第１モータ制御ボタン、及び前記パネル開閉用駆動手段の正逆回転モータの正逆駆動を制御する第２モータ制御ボタンを含む、請求項１に記載のコスメテーブル。
【請求項１４】
前記テーブルボディの後端部に直立するように構成され、複数の取付孔が形成された後方テーブルフレームをさらに含み、
前記後方テーブルフレームには電力配線用回路モジュールから電源が提供されるように構成されるブルートゥーススピーカーが備えられ、
前記テーブルボディには前記電力配線用回路モジュールから電源が提供されるように構成されるスマートフォン用無線充電器が備えられる、請求項１に記載のコスメテーブル。
【請求項１５】
前記開閉パネルに構成され、手動式で開閉されて前記テーブルボディの収容空間の開放面を開閉するように構成される手動式開閉手段をさらに含む、請求項１に記載のコスメテーブル。
【請求項１６】
前記開閉パネルは、
内側に所定の大きさの開口部を形成する枠フレームと、
前記枠フレームの内側開口部に備えられる手動補助開閉パネルと、
前記手動補助開閉パネルの一端部両側に備えられ、前記枠フレームに回転可能に固定され、前記手動補助開閉パネルがその一端部を軸に回動可能にするヒンジ手段と、
前記ヒンジ手段に備えられ、前記手動補助開閉パネルを開放方向に弾性力を作用させるように備えられる弾性部材と、
前記手動補助開閉パネルの他端中央部と、前記枠フレームにそれぞれ備えられ、前記手動補助開閉パネルの他端部をロッキング及びアンロッキングするように構成されるロッキング−アンロッキングユニットとを含む、請求項１に記載のコスメテーブル。
【請求項１７】
前記開閉パネルは、
有無線インターネットやブルートゥース（登録商標）又はミラーリング（ｍｉｒｒｏｒｉｎｇ）のうち少なくとも一つの機能を実行するソフトウェアおよびハードウェアを含むモニター一体型コンピュータ又はタブレットで構成される、請求項１に記載のコスメテーブル。
【発明の詳細な説明】
【技術分野】
【０００１】
本発明は、コスメテーブルに関し、より詳細には、冷蔵保管が要求される化粧品を保管することができるように冷蔵機能を提供すると同時に、単純な化粧台の機能から外れ、新しい機能と構造を有する化粧台を提供することで、消費者の好みの選択の幅を広げ、製品の競争力を増大させることができ、必要に応じて手動操作で保管化粧品を簡単に取り出して使用できるようにし、ユーザビリティーと機能性をさらに向上させることができるコスメテーブルに関する。
【背景技術】
【０００２】
一般に化粧台は、女性が端正な顔立ち及び流行に対応するおしゃれを創出するために、家庭用又は美容室などで広く利用される美容用品の一種である。
【０００３】
このような従来の化粧台は、化粧品本体と化粧品本体の後面に立設された鏡を備え、化粧台本体に収納式で設置された引き出しを備えて、引き出し又は化粧台本体の上板に化粧品を保管、展示した状態で、ユーザーが化粧をするように構成され、主に女性のユーザーがコスメテーブルに置かれた化粧品を利用して化粧等を行うことができる家具である。
【０００４】
最近、既存の化粧台の単純な構造から外れて、化粧品の変質を防ぎ、長期間保管しながら利用するために、化粧品を冷蔵保管することができる化粧品冷蔵庫の普及も増えており、化粧品冷蔵庫が一体に備えられた化粧台として提示されている。
【０００５】
しかし、植物性を主原料とし、変質しやすい多数の機能性化粧品は、温度の変化に応じてその材質が変質する恐れが多いが、大半のユーザーは、このような化粧品を一般化粧台に長期間放置し、捨てられているのが実情である。
【０００６】
このような問題点を改善するための一環として、従来は、化粧台とは別に化粧品専用の冷蔵庫が提供されているが、このような化粧品専用の冷蔵庫は、別々で購入するにはその費用が高く体積が大きいため、化粧品専用の売り場でも使用されるのが実情であり、別途で家庭用に備えることが困難かつ面倒なのが実情である。
【０００７】
したがって、最近は、以下の特許文献のように冷蔵機能を一体に有する化粧台が提案されている。
【０００８】
しかし、従来技術による冷蔵機能一体型化粧台は、単純に化粧品の冷蔵機能を有する構成を一体化したもののみを提供しているだけで、ユーザーの動線を考慮していないため、ユーザビリティーが低く、美麗な外的デザインを提供するのに限界があり、冷蔵機能以外の付加的な機能が全く提供できていないという問題点がある。
【発明の概要】
【発明が解決しようとする課題】
【０００９】
したがって、前記従来の問題点を解決するための本発明は、冷蔵保管が要求される化粧品を保管することができるように冷蔵機能を提供すると同時に、単純な化粧台の機能から外れ、新しい機能と構造を有する化粧台を提供することで、消費者の好みの選択の幅を広げ、製品の競争力を増大させることができるコスメテーブルを提供することにその目的がある。
【００１０】
また、本発明は、自動方式と共に、機器固定やユーザーの選択の際に、手動操作で保管化粧品を簡単に取り出して使用できるようにし、ユーザビリティーと機能性をさらに向上させることができるコスメテーブルを提供することに別の目的がある。
【００１１】
本発明の解決課題は、以上で言及したものに限定されず、言及しないまた別の解決課題は、以下の記載から当業者に明確に理解されるべきである。
【課題を解決するための手段】
【００１２】
前記本発明の目的及び他の特徴を達成するための本発明の一観点によると、片側に開放された収容空間を備えるテーブルボディと、前記テーブルボディの収容空間に備えられる上部開放された支持ケースと、前記支持ケース内に脱着可能に安着し、化粧品を収容保管する化粧品収容ケースと、前記化粧品収容ケースの片側に構成され、前記化粧品収容ケースに冷気を提供するための冷気発生手段と、前記テーブルボディに構成され、前記化粧品収容ケースを乗下降駆動させるための乗下降用駆動手段と、前記支持ケースと化粧品収容ケースとの間に構成され、前記化粧品収容ケースの乗下降移動をガイドするためのケースガイド手段と、ミラー機能を提供するための反射面を有し、前記テーブルボディの収容空間の開放面を開閉する開閉パネルと、前記テーブルボディに構成され、前記開閉パネルを平面状態で所定の角度で起立した状態で駆動させるためのパネル開閉用駆動手段と、前記収容空間の上部に構成され、前記パネル開閉用駆動手段の駆動による開閉パネルの移動をガイドするためのパネル移動ガイド手段と、前記冷気発生手段と乗下降用駆動手段及びパネル開閉用駆動手段に電力を供給するように連結される電源部と、前記テーブルボディの片側に構成され、前記冷気発生手段、乗下降用駆動手段、パネル開閉用駆動手段、及び電源部を制御するためのコントロールパネルと、を含むコスメテーブルが提供される。
【００１３】
本発明において、前記乗下降用駆動手段は、乗降駆動シャフトが前記支持ケースの底面を貫通し、前記化粧品収容ケースに結合されるリニアモータで構成されることができる。
【００１４】
本発明において、前記乗下降用駆動手段は、前記支持ケースの両側面のそれぞれに上下方向に開口された開口スロットと、前記化粧品収容ケースの両側面に形成され、前記開口スロットを介して突出する連結部材と、前記支持ケースの両側面で前記開口スロットに平行に形成され、前記連結部材が移動可能に結合される送りねじ部材と、前記送りねじ部材を回転駆動させるための正逆駆動可能な駆動モータと、を含むことができる。
【００１５】
本発明において、前記乗下降用駆動手段は、前記支持ケースの片側に備えられ、正逆回転可能な正逆回転モータと、前記正逆回転モータの正逆回転力が伝達される回転シャフトと、一端部は前記回転シャフトに連結され、他端部は前記支持ケースの背面を接触支持するように備えられ、前記他端部は、前記支持ケースの背面に傾斜して接触支持されるように備えられる一つ以上の接触駆動バーと、を含むことができる。
【００１６】
本発明において、前記ケースガイド手段は、前記支持ケースの底面に形成される一つ以上のガイド孔と、一端が前記化粧品収容ケースに結合され、前記ガイド孔に上下摺動移動可能に備えられるガイド部材とを含むことができる。
【００１７】
本発明において、前記ケースガイド手段は、前記支持ケースと前記化粧品収容ケースの対向面のうちの一つに形成される一つ以上のガイド溝と、前記支持ケースと化粧品収容ケースの対向面のうちのもう一つに形成され、前記ガイド溝に沿ってガイドされる一つ以上のガイド突起と、を含むことができる。
【００１８】
本発明において、前記パネル開閉用駆動手段は、前記支持ケースの片側に備えられる正逆回転可能な正逆回転モータと、前記正逆回転モータの回転軸に連結される回転シャフトと、前記開閉パネルの背面の片側に形成された回動シャフトと、一端部は、前記回動シャフトの両端部側にそれぞれ結合され、他端部は、前記回転シャフトに結合される連結フレームと、一端部は、前記回動シャフトの両端部に固定結合され、他端部は、前記開閉パネルの両縁の中間部又は中間部よりも下部側に回転可能に結合される連動リンク部材と、を含むことができる。
【００１９】
本発明において、前記パネル開閉用駆動手段は、前記支持ケースの片側に備えられる正逆回転可能な正逆回転モータと、前記正逆回転モータの回転軸に連動軌道ベルトを媒介として連結され、前記支持ケースに構成される一つ以上の支持体により回転可能に支持され、両端部にそれぞれプーリーが備えられる回転シャフトと、前記支持ケースの両側面前方のそれぞれに回転可能に備えられる回転プーリーと、前記回転プーリーと前記回転シャフトの両端部のプーリー間を連結する駆動軌道ベルトと、前記駆動軌道ベルトに固定され、上端部で下記のパネル移動ガイド手段を構成するガイドローラに連結される移動ブロック体と、を含むことができる。
【００２０】
本発明において、前記パネル開閉用駆動手段は、前記支持ケースの片側に備えられ、正逆回転可能な正逆回転モータと、前記正逆回転モータの端部に備えられるギアと、前記ギアと歯合するラックギアを備え、上下方向に線形移動する線形移動フレームと、前記支持ケースに設けられ、前記線形移動フレームの両端部を移動可能に支持し、上端部で前記開閉パネルの背面側上端部に回転可能に結合される線形移動支持フレームと、を含むことができる。
【００２１】
本発明において、前記パネル移動ガイド手段は、前記テーブルボディの収容空間の上端部の両壁面又は前記支持ケースの上端部の両壁面に構成されるガイドレールと、前記開閉パネルの下端部両側に回転自在に備えられ、前記ガイドレールに沿ってガイドされるガイドローラと、を含むことができる。
【００２２】
本発明において、前記化粧品収容ケースに向かう側の前記開閉パネルには断熱カバー部材が備えられ、前記断熱カバー部材の背面側縁周又は前記テーブルボディの収容空間の上端縁周のうちの一つには、冷気が通り抜けることを防止するためのパッキング部材が備えられ、前記テーブルボディの収容空間の上端縁又は前記断熱カバー部材の背面側縁周のうちのもう一つには、前記パッキング部材が密着される段付部が形成されて構成できる。
【００２３】
本発明において、前記冷気発生手段は、前記化粧品収容ケースの片側に備えられ、ペルティエ効果（Ｐｅｌｔｉｅｒ  Ｅｆｆｅｃｔ）を発生する熱電素子と、片側は前記化粧品収容ケースに連通され、他側は前記熱電素子の片面に備えられるコールドシンクと、前記熱電素子の他面に備えられるヒートシンクと、前記ヒートシンクに備えられ、発生熱を送風させる防熱ファンとを含み、前記防熱ファンに対向する前記支持ケースの片面にはグリルが形成され、前記化粧品収容ケースの底部は、高さが異なって段差となり、複数の区画壁に区画されて構成されることができる。
【００２４】
本発明において、前記電源部は、前記冷気発生手段、乗下降用駆動手段、及びパネル開閉用駆動手段にそれぞれ電力を供給するための電力配線用回路モジュール、及び前記電力配線用回路モジュールに電力を提供するように連結され、前記テーブルボディから引き出される電源ケーブルを含み、前記コントロールパネルは、前記電力配線用回路モジュールを制御するように前記テーブルボディの片側に構成される複数の制御操作部、及び前記電力配線用回路モジュールの電力が印加されているか否かを確認することができる電源発光部を含み、前記制御操作部は、前記電力配線用回路モジュールの電源をオン／オフするように切り替えられる電源ボタン、前記乗下降用駆動手段の正逆回転モータの正逆駆動を制御する第１モータ制御ボタン、及び前記パネル開閉用駆動手段の正逆回転モータの正逆駆動を制御する第２モータ制御ボタンを含むことができる。
【００２５】
また、本発明は、前記テーブルボディの後端部に直立するように構成され、複数の取付孔が形成された後方テーブルフレームをさらに含み、前記後方テーブルフレームには前記電力配線用回路モジュールから電源が提供されるように構成されるブルートゥース（登録商標）スピーカーが備えられ、前記テーブルボディには前記電力配線用回路モジュールから電源が提供されるように構成されるスマートフォン用無線充電器が備えられて構成されることができる。
【００２６】
また、本発明は、前記開閉パネルに構成され、手動式で開閉されて前記テーブルボディの収容空間の開放面を開閉するように構成される手動式開閉手段をさらに含むことができる。
【００２７】
本発明において、前記開閉パネルは、内側に所定の大きさの開口部を形成する枠フレームと、前記枠フレームの内側開口部に備えられる手動補助開閉パネルと、前記手動補助開閉パネルの一端部両側に備えられ、前記枠フレームに回転可能に固定され、前記手動補助開閉パネルがその一端部を軸に回動可能にするヒンジ手段と、前記ヒンジ手段に備えられ、前記手動補助開閉パネルを開放方向に弾性力を作用させるように備えられる弾性部材と、前記手動補助開閉パネルの他端中央部と、前記枠フレームにそれぞれ備えられ、前記手動補助開閉パネルの他端部をロッキング及びアンロッキングするように構成されるロッキング−アンロッキングユニットとを含むことができる。
【００２８】
本発明において、前記開閉パネルは、有無線インターネットやブルートゥース又はミラーリング（ｍｉｒｒｏｒｉｎｇ）のうち少なくとも一つの機能を実行するソフトウェアおよびハードウェアを含むモニター一体型コンピュータ又はタブレットで構成されることができる。
【発明の効果】
【００２９】
前記した本発明に係るコスメテーブルによると、冷蔵保管が要求される化粧品を保管することができるように冷蔵機能を提供すると同時に、化粧品収容ケースをカバーする開閉パネルを鏡又はディスプレイパネルなどで構成できるので、機能性を向上させ、使用する化粧品に対する移動動線を最小化し、ユーザビリティーと便宜性を向上させることができるという効果がある。
【００３０】
また、本発明は、ほとんどの人が利用しているスマートフォン端末機と連携できる機能を付加し、音楽やスマートフォンの充電を同時に実行できる機能性コスメテーブルを提供することによって、消費者の好みの選択の幅を広げ、製品の競争力を増大させることができるという効果がある。
【００３１】
また、本発明は、手動補助開閉パネルを介して簡単に化粧品を取り出すことができるようにし、ユーザビリティーと機能性をさらに向上させることができるという効果がある。
【００３２】
本発明の効果は、以上で言及されたものに限定されず、言及しないまた別の解決課題は、以下の記載から当業者に明確に理解されるべきである。
【図面の簡単な説明】
【００３３】
【図１】本発明の一実施例に係るコスメテーブルを示すもので、開閉パネルが閉鎖された状態を示す図である。
【図２】本発明の一実施例に係るコスメテーブルを示すもので、開閉パネルが開放された状態を示す図である。
【図３】本発明の一実施例に係るコスメテーブルの内部構成要素を上部側から見た斜視図である。
【図４】本発明の一実施例に係るコスメテーブルの内部構成要素を下部一側から見た斜視図である。
【図５】本発明の一実施例に係るコスメテーブルの内部構成要素を上部一側から見た斜視図である。
【図６】本発明の一実施例に係るコスメテーブルを構成する支持ケースを省略した状態の内部構成要素を示す後方一側から見た斜視図である。
【図７】本発明の一実施例に係るコスメテーブルを構成する支持ケースを省略した状態の内部構成要素を示す後方他側から見た斜視図である。
【図８】本発明の一実施例に係るコスメテーブルで開閉パネルが開放された状態の内部構成要素を後方一側から見たものを示す斜視図である。
【図９】本発明の一実施例に係るコスメテーブルを構成する開閉パネルが開放された状態の内部構成要素を後方他側から見たものを示す斜視図である。
【図１０】本発明の一実施例に係るコスメテーブルを構成する乗下降用駆動手段の第２実施例を構成する構成部を示す後方側の一側斜視図である。
【図１１】本発明の一実施例に係るコスメテーブルを構成する乗下降用駆動手段の第２実施例を構成する構成部を示す後方側の他側斜視図である。
【図１２】本発明の一実施例に係るコスメテーブルを構成する第２実施例のパネル開閉用駆動手段を含む内部構成部を下部一側から見た斜視図である。
【図１３】本発明の一実施例に係るコスメテーブルを構成する第２実施例のパネル開閉用駆動手段を含む内部構成部を下部他側から見た斜視図である。
【図１４】本発明の一実施例に係るコスメテーブルを構成する第２実施例のパネル開閉用駆動手段を含む内部構成部を示す一側正面図である。
【図１５】本発明の別の実施例に係るコスメテーブルを構成する内部構成部を示す後方側の一側斜視図である。
【図１６】本発明の別の実施例に係るコスメテーブルを構成する内部構成部を示す後方側の他側斜視図である。
【図１７】本発明の別の実施例に係るコスメテーブルを構成する内部構成部を示す前方側の一側斜視図である。
【図１８】本発明に係るコスメテーブルの手動式開閉手段を構成するロッキング−アンロッキングユニットの一構成要素が備えられる側を示す図である。
【図１９】本発明に係るコスメテーブルの手動式開閉手段を構成する手動補助開閉パネルが一部開放された状態を示す図である。
【図２０】本発明に係るコスメテーブルの手動式開閉手段を構成する手動補助開閉パネルが完全開放された状態を示す図である。
【図２１】本発明に係るコスメテーブルで手動補助開閉パネルを有する開閉パネルがパネル開閉用駆動手段により動作され、完全開放された状態を示す図である。
【図２２】本発明のまた別の実施例に係るコスメテーブルを示す図であって、開閉パネルが閉鎖された状態を示す図である。
【発明を実施するための形態】
【００３４】
本発明は、片側に開放された収容空間を備えるテーブルボディと、前記テーブルボディの収容空間に備えられる上部開放された支持ケースと、前記支持ケース内に脱着可能に安着し、化粧品を収容保管する化粧品収容ケースと、前記化粧品収容ケースの片側に構成され、前記化粧品収容ケースに冷気を提供するための冷気発生手段と、前記テーブルボディに構成され、前記化粧品収容ケースを乗下降駆動させるための乗下降用駆動手段と、前記支持ケースと化粧品収容ケースとの間に構成され、前記化粧品収容ケースの乗下降移動をガイドするためのケースガイド手段と、ミラー機能を提供するための反射面を有し、前記テーブルボディの収容空間の開放面を開閉する開閉パネルと、前記テーブルボディに構成され、前記開閉パネルを平面状態で所定の角度で起立した状態で駆動させるためのパネル開閉用駆動手段と、前記収容空間の上部に構成され、前記パネル開閉用駆動手段の駆動による開閉パネルの移動をガイドするためのパネル移動ガイド手段と、前記冷気発生手段と乗下降用駆動手段及びパネル開閉用駆動手段に電力を供給するように連結される電源部と、前記テーブルボディの一側に構成され、前記冷気発生手段、乗下降用駆動手段、パネル開閉用駆動手段、及び電源部を制御するためのコントロールパネルと、を含むコスメテーブルを提供する。
【００３５】
本発明の更なる目的、特徴、及びメリットは、次の詳細な説明及び添付図からより明瞭に理解できる。
【００３６】
本発明の詳細な説明に先だって、本発明は様々な変更を図ることができ、様々な実施例を有することができるので、下記で説明され、図に示した例示は、本発明を特定の実施形態に対して限定しようとするわけではなく、本発明の思想及び技術範囲に含まれる全ての変更、均等物乃至代替物を含むものと理解されるべきである。
【００３７】
ある構成要素が他の構成要素に「連結されて」いたり、「接続されて」いると言及されている際には、その他の構成要素に直接的に連結されていてもよく、又は接続されていてもよいが、中間に他の構成要素が存在してもよいと理解されるべきである。反面、ある構成要素が他の構成要素に「直接連結されて」いたり、「直接接続されて」いると言及されている際には、中間に他の構成要素が存在しないものと理解されるべきである。
【００３８】
本明細書で使用している用語は、単に特定の実施例を説明するために使用されたものであって、本発明を限定しようとする意図ではない。単数の表現は、文脈上明らかに異なる意味ではない限り、複数の表現を含む。本明細書において、「含む」又は「有する」等の用語は、明細書上に記載された特徴、数字、段階、動作、構成要素、部品、又はこれらを組み合わせたものが存在するということを指定しようとするものであり、一つ又はそれ以上の異なる特徴や数字、段階、動作、構成要素、部品、又はこれらを組み合わせたものの存在又は付加可能性を予め排除しないものと理解されるべきである。
【００３９】
また、明細書に記載された「．．．部」、「．．．ユニット」、「．．．モジュール」等の用語は、少なくとも一つの機能や動作を処理する単位を意味し、これは、ハードウェアやソフトウェア、又はハードウェア及びソフトウェアの結合で具現されることができる。
【００４０】
また、添付図を参照として説明するにあたって、図面符号に関係なく、同一の構成要素は同一の参照符号を付与し、これに対する重複する説明は省略することとする。本発明を説明するにあたって、関連の公知技術に関する具体的な説明が本発明の要旨を不要にぼやかすことがあると判断される場合、その詳細な説明を省略する。
【００４１】
以下、本発明の一実施例に係るコスメテーブルを図１乃至図９を参照として詳細に説明する。
【００４２】
図１は、本発明の一実施例に係るコスメテーブルを示すもので、開閉パネルが閉鎖された状態を示す図であり、図２は、本発明の一実施例に係るコスメテーブルを示すもので、開閉パネルが開放された状態を示す図であり、図３は、本発明の一実施例に係るコスメテーブルの内部構成要素を上部側から見た斜視図であり、図４は、本発明の一実施例に係るコスメテーブルの内部構成要素を下部一側から見た斜視図である。図５は、本発明の一実施例に係るコスメテーブルの内部構成要素を上部一側から見た斜視図であり、図６は、本発明の一実施例に係るコスメテーブルを構成する支持ケースを省略した状態の内部構成要素を示す後方一側から見た斜視図であり、図７は、本発明の一実施例に係るコスメテーブルを構成する支持ケースを省略した状態の内部構成要素を示す後方他側から見た斜視図であり、図８は、本発明の一実施例に係るコスメテーブルで開閉パネルが開放された状態の内部構成要素を後方一側から見たものを示す斜視図であり、図９は、本発明の一実施例に係るコスメテーブルを構成する開閉パネルが開放された状態の内部構成要素を後方他側から見たものを示す斜視図である。
【００４３】
本発明の一実施例に係るコスメテーブルは、図１乃至図９に示すように、下部にテーブル脚１１０が備えられ、片側に開放された収容空間を有するテーブルボディ１００と、前記テーブルボディ１００の収容空間に備えられる上部開放された箱体型支持ケース２００と、前記支持ケース２００内に脱着可能に安着し、化粧品を収容保管する化粧品収容ケース３００と、前記化粧品収容ケース３００の片側に構成され、前記化粧品収容ケース３００の内側に冷気を提供するための冷気発生手段４００と、前記テーブルボディ１００に構成され、前記化粧品収容ケース３００を乗下降駆動させるための乗下降用駆動手段と、前記支持ケース２００と化粧品収容ケース３００との間に構成され、前記乗下降用駆動手段の駆動による化粧品収容ケース３００の乗下降移動をガイドするためのケースガイド手段と、前記テーブルボディ１００の収容空間の開放面をカバーする開閉パネル７００と、前記テーブルボディ１００に構成され、前記開閉パネル７００を平面状態で所定の角度で起立した状態で駆動させるためのパネル開閉用駆動手段と、前記テーブルボディ１００に構成され、前記パネル開閉用駆動手段の駆動による開閉パネル７００の移動をガイドするためのパネル移動ガイド手段と、前記冷気発生手段４００と乗下降用駆動手段及びパネル開閉用駆動手段に電力を供給するように連結される電源部（図示せず）と、前記テーブルボディ１００の片側に構成され、前記冷気発生手段、乗下降用駆動手段、パネル開閉用駆動手段、及び電源部を制御するためのコントロールパネル１５０とを含む。図面符号１０１は、支持ケース２００をカバーするカバーハウジングである。
【００４４】
前記テーブルボディ１００は、様々な形態とサイズで構成されることができ、このテーブルボディ１００には引き出し引き込み可能に収納される一つ以上の収納箱１２０が構成できる。
【００４５】
前記上部開放された箱体型支持ケース２００は、図３によく示すように、前記化粧品収容ケース３００が安着するように収容するだけでなく、後述する一部の構成要素が結合構成される。
【００４６】
また、前記支持ケース２００の後方面（後述する冷気発生手段４００の送風ファンに対向する面）には、下記で詳細に説明する冷気発生手段の送風ファンにより発生した熱気を外部に排出させることができるようにグリル（図示せず）が構成できる。
【００４７】
次に、前記化粧品収容ケース３００は、前記支持ケース２００内に収容されることができる形態であれば、特に限定されるものではなく、好ましくは支持ケース２００の内部空間に整合して安着する形態とサイズで構成されることが好ましい。
【００４８】
また、前記化粧品収容ケース３００は、図に上部開放された箱体の形態で形成される場合を示しているが、底部の高さが異なる複数の段差面を有するように形成されることが好ましい。これは、高さが異なる化粧品を高さ別に収納させて、ユーザーがそれから容易に取り出して使用できるようにするためである。
【００４９】
前記化粧品収容ケース３００で、このような段差となった底部の構成に加えて、摺動移動されて幅調節が可能な区画壁を構成することがさらに好ましい。これは、化粧品が起立し、保管された状態をより安定的に収容し、保管される化粧品の間を分離して保管できる。
【００５０】
次に、前記化粧品収容ケース３００の片側に構成され、前記化粧品収容ケース３００の内側に冷気を提供し、化粧品を冷蔵保管できるようにする冷気発手段４００の一実施形態について説明する。
【００５１】
前記冷気発生手段４００は、図に示すように、前記支持ケース２００の片側（後方側）に備えられ、ペルティエ効果（Ｐｅｌｔｉｅｒ  Ｅｆｆｅｃｔ）を発生する熱電素子４１０と、片側（冷気発生側）は、前記化粧品収容ケース３００の内部と連通するように露出され（図６及び図７参照）、他側は、前記熱電素子４１０の片面に備えられるコールドシンク（ｃｏｌｄ  ｓｉｎｋ）４２０、前記熱電素子４１０の他面に備えられるヒートシンク（ｈｅａｔ  ｓｉｎｋ）４３０、及び前記ヒートシンク４３０の他面に備えられて発生熱を前記した支持ケース２００のグリルを介して外部へ放出させる放熱ファン４４０を含む。
【００５２】
前記熱電素子４１０と、コールドシンク４２０、ヒートシンク４３０、及び冷却ファン４４０は、通常の締結部材、例えば、ねじやボルト等により締結されて一体化された冷却モジュールで構成され、その一体化された冷却モジュールを支持ケース２００に組み立てることによって、容易に組み立てることができる。
【００５３】
次に、前記化粧品収容ケース３００を乗下降駆動させるための乗下降用駆動手段は、第１実施例として図４乃至図９によく示すように、乗降駆動シャフト（リニアシャフト）５１１が前記支持ケース２００の底面を貫通して化粧品収容ケース３００に結合されるリニアモータ５１０からなることができる。
【００５４】
一方、前記乗下降用駆動手段の第２実施例について、図１０及び図１１を参照として詳細に説明する。
【００５５】
図１０は、本発明の一実施例に係るコスメテーブルを構成する乗下降用駆動手段の第２実施例を構成する構成部を示す後方側の一側斜視図であり、図１１は、本発明の一実施例に係るコスメテーブルを構成する乗下降用駆動手段の第２実施例を構成する構成部を示す後方側の他側斜視図である。下記第２実施例の乗下降用駆動手段の説明で、前記第１実施例の乗下降用駆動手段の構成要素と同一又は類似の構成要素に対しては同一の符号を付与し、それに関する詳細な説明は省略する。
【００５６】
第２実施例の乗下降用駆動手段は、図１０及び図１１に示すように、支持ケース２００の両側面のそれぞれに上下方向に開口された開口スロット５３１と、前記化粧品収容ケース３００の両側面に形成され、前記開口スロット５３１を介して突出する連結部材５３２と、前記支持ケース２００の両側面で前記開口スロット５３１に平行に形成され、前記連結部材５３２が移動可能に結合される送りねじ部材５３３と、前記送りねじ部材５３３を回転駆動させるための正逆駆動可能な駆動モータ５１０とを含む。このとき、前記駆動モータ５１０と送りねじ部材５３３との間にはギアトレーン（即ち、動力伝達のためのギア列）が構成できる。
【００５７】
ここで、第２実施例の乗下降用駆動手段は、前記送りねじ部材５３３と駆動  モータ５１０の代わりに、連結部材５３２を乗下降駆動させるためのリニアモータのみからなることができ、このとき、リニアモータが構成される側の反対側には、前記片側の連結部材５３２を乗下降案内するためのガイド棒を含んで構成されることができる。
【００５８】
次に、前記乗下降用駆動手段の駆動による化粧品収容ケース３００の乗下降移動をガイドするためのケースガイド手段は、第１実施例として、前記支持ケース２００の底面に形成される一つ以上のガイド孔、及び一端が前記化粧品収容ケース３００に結合され、前記ガイド孔に上下摺動移動可能に備えられるガイド部材（ガイド棒）６１０を含む。
【００５９】
ここで、前記ガイド孔とガイド部材６１０との間には、そのガイド部材６１０を円滑に摺動移動可能に支持するために、線形摺動軸受（図示せず）が備えられる。
【００６０】
前記ガイド孔とガイド部材６１０は、図に示すように、乗降駆動シャフト５１１を中心として、化粧品収容ケース３００の両側にそれぞれ連結されるように構成されることが好ましい。
【００６１】
このとき、前記乗下降用駆動手段が第２実施例で構成される場合、このようなケースガイド手段は省略されることができ、下記で説明される第２実施例のケースガイド手段が構成できる。
【００６２】
このように構成される乗下降用駆動手段とケースガイド手段は、コントロールパネル１５０を介したユーザーの操作によってリニアモータ５１０が正方向及び逆方向（化粧品収容ケースの上昇方向）に回転することになると、乗降駆動シャフト５１１が乗降及び下降して、化粧品収容ケース３００を乗下降駆動させることになる。
【００６３】
このとき、このような乗下降用駆動手段の動作は、下記で詳細に説明されるパネル開閉用駆動手段が連動され、ＬＥＤディスプレイパネルで構成される開閉パネル７００を開放（操作信号による開放角度を有する開放）させることになる。
【００６４】
次に、前記開閉パネル７００は、製作性や重量などを考慮し、反射面が形成された単純なアクリル又はガラスパネルで形成されることができ、別の例として、ＬＥＤディスプレイパネルからなることができる。
【００６５】
具体的に、開閉パネル７００が後者の場合で構成される場合、ミラー機能を提供するための反射面を有し、有無線インターネットやブルートゥース又はミラーリング（ｍｉｒｒｏｒｉｎｇ）のうち少なくとも一つの機能を実行するソフトウェアおよびハードウェアを含んで構成されるモニター一体型コンピュータやタブレットからなるか、ミラーモードを実行することができるタブレットを含む開閉パネルで構成されることができる。
【００６６】
このような開閉パネル７００には、ＵＳＢポート、ワイファイモジュール、通信モジュール、内蔵メモリ接続スロット等一体型コンピュータモニターで構成されることができる。
【００６７】
このように、前記開閉パネル７００がモニター一体型コンピュータ又はタブレットの開閉パネルで構成される場合、前面の反射面によりミラー（鏡）としての機能を提供するか、ミラーモードの実行でミラーとしての機能を提供し、スマートフォンとミラーリングをして使用するか、ブルートゥースキーボード及びマウスをペアリングし、簡単な文書作業等の業務を行う等、モニター一体型コンピュータとして活用できる。
【００６８】
続いて、前記一体型コンピュータモニターの背面（化粧品収容ケース３００と対向側）には、冷気が発生する側と対向しているので、冷気から保護できるように断熱カバー部材（図示せず）が形成される。
【００６９】
また、前記開閉パネル７００は、別の実施例として、開放の際に前面（上面）に反射面となり、ミラーとして機能することができ、移動メモリが接続されて所定のイメージをディスプレイできるディスプレイパネルで構成されることができる。
【００７０】
続いて、前記開閉パネル７００の背面（即ち、断熱カバー部材の背面）側の縁周には冷気が通り抜けることを防止するためのゴム類のパッキング部材７１０（図７参照）がさらに備えられ、前記テーブルボディ１００の収容空間の上端縁には、前記開閉パネル７００の縁に備えられたパッキング部材が密着される段付部を備えることができる。ここで、前記パッキング部材は、テーブルボディ１００の収容空間の上端縁に備えられることができる。
【００７１】
また、本発明において、前記開閉パネル７００がテーブルボディ１００に対して平面状態にある際に、前記テーブルボディ１００の平面上よりも下に位置するように構成され、前記開閉パネル７００を保護カバーするためのカバー部材（図示せず）をさらに含み、前記開閉パネル７００がカバー部材によりカバーされた状態で、前記カバー部材はテーブルボディ１００の平面と同一平面をなすように構成され、前記カバー部材にはカバー部材を容易に除去するための把持ノブをさらに備えることができる。
【００７２】
一例として、前記把持ノブは、カバー部材の片側縁で内側に陥没形成される脱着溝で形成されるか、一端部を軸に回動可能であり、他端部は自由端で構成され、収納の際にカバー部材の上面と同一平面をなすように収納される脱着ノブで構成されることができ、これに限定されるものではない。
【００７３】
次に、前記開閉パネル７００を平面状態で所定の角度で起立した状態で駆動させるためのパネル開閉用駆動手段は、第１実施例として、前記支持ケース２００の片側に備えられる正逆回転可能な正逆回転モータ８１０と、前記正逆回転モータ８１０の回転軸に連結され、支持ケース２００に構成される一つ以上の支持体２２０により回転可能に支持される回転シャフト８２０と、一端部は開閉パネル７００の背面側に結合された回動シャフト２３０の両端部側にそれぞれ結合され、他端部は前記回転シャフト８２０に結合される連結フレーム８３０と、一端部は前記回動シャフト２３０の両端部に固定結合され、他端部は前記開閉パネル７００の両縁の中間部又は中間部よりも下部側に回転可能に結合される連動リンク部材８４０とを含む。
【００７４】
前記回転シャフト８２０には、支持体２２０に回転可能に支持される軸受部材又はローリング部材が備えられる。
【００７５】
一方、前記パネル開閉用駆動手段の第２実施例について、図１２乃至図１４を参照として詳細に説明する。
【００７６】
図１２は、本発明の一実施例に係るコスメテーブルを構成する第２実施例のパネル開閉用駆動手段を含む内部構成部を下部一側から見た斜視図であり、図１３は、本発明の一実施例に係るコスメテーブルを構成する第２実施例のパネル開閉用駆動手段を含む内部構成部を下部他側から見た斜視図であり、図１４は、本発明の一実施例に係るコスメテーブルを構成する第２実施例のパネル開閉用駆動手段を含む内部構成部を示す一側正面図である。下記の第２実施例のパネル開閉用駆動手段の説明で、前記第１実施例のパネル開閉用駆動手段の構成要素と同一の構成要素に対しては同一の符号を付与し、それに関する詳細な説明は省略する。
【００７７】
前記パネル開閉用駆動手段の第２実施例は、図１２乃至図１４に示すように、前記支持ケース２００の後方側に備えられる正逆回転可能な正逆回転モータ８１０と、前記正逆回転モータ８１０の回転軸に連動軌道ベルト８２２を媒介として連結され、支持ケース２００に構成される一つ以上の支持体２２０により回転可能に支持され、両端部にそれぞれプーリー８２５が備えられる回転シャフト８２０と、前記支持ケース２００の両側面の前方それぞれに回転可能に備えられる回転プーリー８２５と、前記回転プーリー８２５と前記回転シャフト８２０の両端部のプーリー８２３との間を連結する駆動軌道ベルト８２４、及び前記駆動軌道ベルト８２４に固定され、上端部で下記のパネル移動ガイド手段を構成するガイドローラに連結される移動ブロック体８２６とを含む。
【００７８】
ここで、前記支持ケース２００の上面フランジ部にはガイドローラに連結される移動ブロック体８２６の連結部が移動できるように、駆動軌道ベルト８２４と平行に移動長孔（図示せず）が形成される。
【００７９】
前記回転シャフト８２０と支持体２２０との間には回転シャフト８２０を回転可能に支持される軸受部材又はローリング部材が備えられる。
【００８０】
このように構成されるパネル開閉用駆動手段の動作は、下記パネル移動ガイド手段の動作とともに説明する。
【００８１】
続いて、前記開閉パネル７００の移動をガイドするためのパネル移動ガイド  手段は、前記開閉パネル７００が備えられるテーブルボディ１００の収容空間の上端部の両壁面、又は支持ケース３００の上端部の両壁面に構成されるガイドレール９１０、及び前記開閉パネル７００の両側縁の一端部に回転自在に備えられるガイドローラ（図示せず）を含む。
【００８２】
前記のように構成される第１実施例のパネル開閉用駆動手段とパネル移動ガイド手段の動作を見ると、正逆回転モータ８１０が一方向（正方向）に回転して回転シャフト８２０が回転するようになり、前記回転シャフト８２０の回転と共に連結フレーム８３０により連結された回動シャフト２３０を回動させるようになり、その回動シャフト２３０が結合された開閉パネル７００は、その前端部が引っ張られながら、その開閉パネル７００に備えられたガイドローラがガイドレール９１０に沿って移動し、正逆回転モータ８１０の回転数に比例して開放されることになる。
【００８３】
このとき、前記開閉パネル７００は前記回動シャフト２３０に結合されて連動される連動リンク部材８４０により、さらに安定的に支持されつつ、開閉動作をすることになる。
【００８４】
前記開閉パネル７００を平面の元の位置、又は完全起立角度よりも小さい角度で調整しようとする場合、後述するコントロールパネルの操作スイッチの操作により正逆回転モータ８１０の正逆の回転方向と回転数（回転量）を制御することによって達成されることになる。
【００８５】
また、前記のように構成される第２実施例のパネル開閉用駆動手段とパネル移動ガイド手段の動作を見ると、正逆回転モータ８１０が一方向（正方向）に回転して回転シャフト８２０が回転することになり、前記回転シャフト８２０の回転と共に駆動軌道ベルト８２４が駆動され、それに固定された移動ブロック体８２５が移動し、これによって、開閉パネル７００の前端部に備えられたパネル移動ガイド手段のガイドローラを移動させることによって、開閉パネル７００は、その前端部が後方に移動されながら、その開閉パネル７００に備えられたガイドローラがガイドレール９１０に沿って移動し、正逆回転モータ８１０の回転数に比例して開閉パネル７００が開放されることになる。
【００８６】
次に、前記冷気発生手段と乗下降用駆動手段及びパネル開閉用駆動手段に電力を供給するように連結される電源部は、前記冷気発生手段、乗下降用駆動手段、及びパネル開閉用駆動手段にそれぞれ電力を供給するための電力配線用回路モジュール（ＣＭ）（図１２参照）、及び前記電力配線用回路モジュールに電力を提供するように連結されて引き出される電源ケーブルを含む。
【００８７】
ここで、前記電源部は、電源ケーブルの代わりに、又は電源ケーブルと共に構成され、外部電源連結ケーブルを連結することができる電源接続口が前記回路モジュールと電気的に接続され、テーブルボディ１００の片側に構成されることができる。
【００８８】
次に、前記コントロールパネル１５０は、前記回路モジュールを制御するようにテーブルボディ１００の片側に構成される複数の制御操作部、及び回路モジュールの電力が印加されているか否かを確認することができる電源発光部１５１を含む（図２２参照）。
【００８９】
前記制御操作部は、全体電源をオン／オフするように切り替えられる電源ボタン１５２と、乗下降用駆動手段の動作を制御するためにリニアモータの正逆駆動と回転量を制御し、操作後に元の位置に復帰されるように構成される乗降制御ボタン１５３、及び前記パネル開閉用駆動手段の動作を制御するために正逆回転モータの正逆駆動と回転量を制御し、操作後に元の位置に復帰されるように構成される開閉制御ボタン１５４を含む（図２２参照）。
【００９０】
次に、本発明の別の実施例に係るコスメテーブルについて、図１５乃至図１７を参照として詳細に説明する。図１５は、本発明の別の実施例に係るコスメテーブルを構成する内部構成部を示す後方側の一側斜視図であり、図１６は、本発明の別の実施例に係るコスメテーブルを構成する内部構成部を示す後方側の他側斜視図であり、図１７は、本発明の別の実施例に係るコスメテーブルを構成する内部構成部を示す前方側の一側斜視図である。
【００９１】
以下、本発明の別の実施例に係るコスメテーブルに関する説明において、前記実施例に係るコスメテーブルと同一又は類似の構成要素に対しては同一の符号を付与し、それに関する詳細な説明は、簡略にするか省略する。下記のコスメテーブルの別の実施例では、開閉パネル７００と化粧品収容ケース３００を駆動させる構成部で差があるので、これについてのみ説明する。
【００９２】
本発明の別の実施例に係るコスメテーブルで、化粧品収容ケース３００を乗下降駆動させるための乗下降用駆動手段は、前記支持ケース２００の一側に備えられ、正逆回転可能な正逆回転モータ（第１正逆回転モータ）５１１と、前記正逆回転モータ（第１正逆回転モータ）５１１の正逆回転力が伝達される回転シャフト（図示せず）と、一端部は前記回転シャフトに連結され、他端部は前記化粧品収容ケース３００の背面を接触支持するように備えられ、前記他端部は化粧品収容ケース３００の背面に傾斜して接触支持されるように備えられる一つ以上の接触駆動バー５２０を含む。
【００９３】
ここで、前記正逆回転モータ（第１正逆回転モータ）５１１と回転シャフトとの間には、回転比を減少させることができるように構成されるギアトレーンが構成できる。また、前記接触駆動バー５２０は、中間部又は他端部の２／３地点で所定の角度で折り曲げられるように形成されることができる。
【００９４】
このように構成される乗下降用駆動手段は、第１正逆回転モータ５１１が一方向（正方向）に回転して回転シャフトが所定程度に回転することになると、前記接触駆動バー５２０の一端部も回転することになり、これによって、前記接触駆動バー５２０の他端部は一端部を軸として回転することによって、化粧品収容ケース３００を上昇させることになり、この際に化粧品収容ケース３００は、後述するケースガイド手段により安定的にガイドされながら上昇することになる。
【００９５】
それから、化粧品収容ケース３００を元の位置又は最上端の位置よりも下方に位置させようとする場合、第１正逆回転モータ５１１を逆方向に駆動させると、接触駆動バー５２０の他端部は一端部を軸として反対方向に回転し、化粧品収容ケース３００を支持する力が減少し、化粧品収容ケース３００は後述するケースガイド手段により安定的にガイドされながら自重によって下降することになる。
【００９６】
前記第１正逆回転モータ５１１は、コントロールパネルの操作スイッチの操作により正逆の回転方向と回転量が制御されることになる。
【００９７】
ここで、前記接触駆動バー５２０による化粧品収容ケース３００の乗降動作をより円滑にするために、前記化粧品収容ケース３００の背面は片側に傾斜して形成され、前記接触駆動バー５２０の端部には自由回転可能な回転ローラが構成できる。
【００９８】
続いて、別の実施例におけるケースガイド手段は、前記支持ケース２００と前記化粧品収容ケース３００の対向面（対面する側面）のうちの一つに形成される一つ以上のガイド溝（図示せず）、及び前記支持ケース２００と化粧品収容ケース３００の対向面のうちのもう一つに形成され、前記ガイド溝（図示せず）に沿ってガイドされる一つ以上のガイド突起６１１を含む。
【００９９】
図において、前記ケースガイド手段のガイド突起６１１は、化粧品収容ケース３００の側面に線形のガイド突起で形成された場合を示している。
【０１００】
次に、別の実施例におけるパネル開閉用駆動手段は、前記支持ケース２００の片側に備えられ、正逆回転可能な正逆回転モータ（第２正逆回転モータ）８１１と、前記第２正逆回転モータ８１１の端部に備えられるギア歯（図示せず）と、上端部で開閉パネルの背面側上端部に回転可能に結合され、前記ギア歯と歯合するラックギアを備え、上下方向に線形移動する線形移動フレーム８２１と、前記支持ケース２００の下部に設けられ、前記線形移動フレーム８２１の両端部を移動可能に支持する線形移動支持フレーム８３１とを含む。
【０１０１】
ここで、前記第２正逆回転モータ８１１のギア歯と線形移動フレーム８２１のラックギアとの間には、回転比を減少させることができるように構成されるギアトレーンが構成できる。
【０１０２】
前記のように構成されるパネル開閉用駆動手段の動作を見ると、第２正逆回転モータ８１１が一方向（正方向）に回転し、その端部のギア歯と歯合したラックギアにより、線形移動フレーム８２１は線形移動支持フレーム８３１によりガイドされながら、テーブルボディ１００の上側に上昇することになる。
【０１０３】
これによって、線形移動フレーム８２１の上端部に回転可能に結合された開閉パネル７００は、平面状態で線形移動フレーム８２１の牽引によって所定の角度を有する起立する状態となり、この際の開閉パネル７００は、パネルガイド手段により安定的にガイドされ、開閉パネル７００の起立角度は、線形移動フレーム８２１の移動程度（第２正逆回転モータ８１１の回転量）によってなされる。
【０１０４】
それから、開閉パネル７００を平面の元の位置又は完全起立角度よりも小さい角度で調整しようとする場合、第２正逆回転モータ８１１を逆方向に駆動させればよい。前記第２正逆回転モータ８１１は、コントロールパネルの操作スイッチの操作により正逆の回転方向と回転量が制御されることになる。
【０１０５】
前記のように、別の実施例のコスメテーブルを構成する内部構成部、即ち、開閉パネル７００と化粧品収容ケース３００を駆動させるための構成部は、前記で説明した実施例のコスメテーブルを構成する内部構成部と組み合わせて構成できる。
【０１０６】
言い換えると、本発明によるコスメテーブルとして、前記実施例の乗下降用駆動手段、ケースガイド手段、パネル開閉用駆動手段、及びパネル移動ガイド手段は組み合わせて構成できる。
【０１０７】
例えば、本発明によるコスメテーブルは、第１又は第２実施例の乗下降用駆動手段と異なるコスメテーブルのパネル開閉用駆動手段を含むか、第１及び第２実施例のパネル開閉用駆動手段と異なる実施例の乗下降用駆動手段を含むことができる。
【０１０８】
また、本発明によるコスメテーブルは、第１又は第２実施例の乗下降用駆動手段をメイン乗下降用駆動手段又は第１乗下降用駆動手段とし、別の実施例の乗下降用駆動手段をサブ乗下降用駆動手段又は第２乗下降用駆動手段として構成されることができ、第１又は第２実施例のパネル開閉用駆動手段をメインパネル開閉用駆動手段又は第１パネル開閉用駆動手段とし、別の実施例のパネル開閉用駆動手段をサブパネル開閉用駆動手段又は第２パネル開閉用駆動手段として含むことができる。
【０１０９】
勿論、各実施例の乗下降用駆動手段とパネル開閉用駆動手段の一部構成を代替するか、組み合わせて構成されることもでき、ケースガイド手段及びパネル移動ガイド手段もまた組み合わせて構成されることができる。
【０１１０】
一方、本発明に係るコスメテーブルは、手動式で開閉されて化粧品収容ケースに接近できるように構成される手動式開閉手段をさらに含むことができる。
【０１１１】
本発明に係るコスメテーブルを構成する手動式開閉手段を図１８乃至図２１をさらに参照として詳細に説明する。図１８は、本発明に係るコスメテーブルの手動式開閉手段を構成するロッキング−アンロッキングユニットの一構成要素が備えられる側を示す図であり、図１９は、本発明に係るコスメテーブルの手動式開閉手段を構成する手動補助開閉パネルが一部開放された状態を示す図であり、図２０は、本発明に係るコスメテーブルの手動式開閉手段を構成する手動補助開閉パネルが完全開放された状態を示す図であり、図２１は、本発明に係るコスメテーブルの手動補助開閉パネルを有する開閉パネルがパネル開閉用駆動手段により動作され、完全開放された状態を示す図である。
【０１１２】
本発明に係るコスメテーブルを構成する手動式開閉手段は、図１８乃至図２１に示すように、内側に所定の大きさの開口部を形成し、前記開閉パネル７００の枠部を形成する枠フレーム７２０と、前記枠フレーム７２０の内側開口部に備えられる手動補助開閉パネル７３０と、前記手動補助開閉パネル７３０の一端部の両側に備えられ、前記枠フレーム７２０に回転可能に固定されて前記手動補助開閉パネル７３０がその一端部を軸として回動可能にするヒンジユニット７４０と、前記ヒンジユニット７４０に備えられ、前記手動補助開閉パネル７３０を開放方向に弾性力を作用させるように備えられる弾性部材（図示せず）と、前記手動補助開閉パネル７３０の他端の中央部と前記枠フレーム７２０にそれぞれ備えられ、前記手動補助開閉パネル７３０の他端部をロッキング及びアンロッキングするように構成されるロッキング−アンロッキングユニット７５０、７６０とを含む。
【０１１３】
前記枠フレーム７２０と手動補助開閉パネル７３０は、前記実施例で説明した開閉パネル７００を構成することになる。
【０１１４】
前記ヒンジユニット７４０は、手動補助開閉パネル７３０がその一端部を軸として枠フレーム７２０で回転可能に結合されることができる構成であれば、特に限定されるものではなく、公知のものを採用できる。
【０１１５】
次に、前記ロッキング−アンロッキングユニット７５０、７６０は、手動補助開閉パネル７３０の他端の中央部に構成される第１ロッキング−アンロッキング部材７５０、及び前記手動補助開閉パネル７３０が閉鎖された状態で、前記第１ロッキング−アンロッキング部材７５０に相応する位置の枠フレーム７２０に備えられ、前記第１ロッキング−アンロッキング部材７５０と連動し、ロッキング−アンロッキング動作されるように構成される第２ロッキング−アンロッキング部材７６０を含む。
【０１１６】
前記ロッキング−アンロッキングユニットの第１及び第２ロッキング−アンロッキング部材７５０、７６０は、手動補助開閉パネル７３０の閉鎖された状態でロッキング状態を維持し、このようなロッキング状態で手動補助開閉パネル７３０を押すか、操作ボタンを操作することになると、ロッキング状態が解除されるアンロッキング状態になることができる構成であれば、特に限定されるものではなく、公知のものを採用できる。
【０１１７】
一例として、前記ロッキング−アンロッキングユニットは、押す際に係止され、係止解除されるプッシュタイプのロッキング−アンロッキング部材で構成されることができる。
【０１１８】
このように本発明に係るコスメテーブルは、手動式開閉手段をさらに含むことによって、停電や故障の際に、パネル開閉用駆動ユニットが使用できない場合、即ち、自動方式で開閉できない場合や、又はパネル開閉用駆動ユニットを動作させずに化粧品を取り出してから、直に閉じようとする際に、手動補助開閉パネル７３０を手動開放して取り出せるようになり、また、頻繁なパネル開閉用駆動ユニットの動作を防止し、電力消費を削減することができるようにする。
【０１１９】
一方、本発明のまた別の実施例に係るコスメテーブルを図２２を参照として説明する。図２２は、本発明のまた別の実施例に係るコスメテーブルを示す図であって、開閉パネルが閉鎖された状態を示す図である。
【０１２０】
以下の本発明のまた別の実施例に係るコスメテーブルに関する説明で、前記実施例に係るコスメテーブルと同一又は類似の構成要素に対しては同一の符号を付与し、それに関する詳細な説明は、簡略にするか省略する。下記のコスメテーブルのまた別の実施例では、テーブルボディ１００を構成する構成部に差があるので、これについてのみ説明する。
【０１２１】
本発明のまた別の実施例に係るコスメテーブルは、図２２に示すように、テーブルボディ１００の後端部に直立するように構成される後方テーブルフレーム１６０をさらに含み、前記後方フレーム１６０には、イヤホーンのような使用物品やインテリア用品等が取り付けられる複数の取付孔１６１を形成できる。
【０１２２】
また、前記後方テーブル１６０には、回路モジュールから電源が提供されるように構成（外部に露出された電気接続ポート）されるブルートゥーススピーカー１７０が備えられる。もちろん、前記ブルートゥーススピーカーは一体型からなることができ、開閉パネル７００としてＬＥＤディスプレイパネルと連動されることができ、後方テーブルフレームに脱着可能に構成されることができる。脱着可能な後者の場合、前記後方テーブルフレームにはスピーカー装着口が形成され、このスピーカー装着口にはスピーカー電源ケーブルを回路モジュールの電気接続ポートに連結できる引き出し孔が形成される。もちろん、前記スピーカー装着口には回路モジュールから引き出される電源ケーブルの接続ポートが備えられ、スピーカー装着口で電源接続を直ぐに行えるように構成されることもできる。
【０１２３】
また、コスメテーブルは、テーブルボディ１００に一体で構成され、スマートフォンを無線で充電できるように前記回路モジュールから電源が提供されるように構成（外部に露出された電気接続ポート）される無線充電器１８０をさらに含む。もちろん、前記無線充電器は脱着可能に構成されることができ、この場合、テーブルボディ１００には無線充電器装着口が形成され、この無線充電器装着口には充電器電源ケーブルを回路モジュールの電気接続ポートに連結できる引き出し孔が形成される。このような無線充電器の場合にも、無線充電器装着口には、回路モジュールから引き出される電源ケーブルの接続ポートが備えられ、無線充電器装着口で電源接続を直ぐに行うか、有線充電器を連結して使用できる。
【０１２４】
また、コスメテーブルは、化粧品収容ケース３００の内部一側には前記回路モジュールからの電源が提供されるように構成されるアニオン発生装置及び／又は殺菌装置としてハロゲンランプをさらに含んで構成できる。
【０１２５】
このようなまた別の実施例に係るコスメテーブルは、前記説明した各実施例の内部構成部を組み合わせて構成できる。
【０１２６】
前記したような本発明のコスメテーブルは、作り付けの形態又はビルトイン（ｂｕｉｌｔ−ｉｎ）製品に設備されるように適用してなることができる。
【０１２７】
以上で説明したような本発明に係るコスメテーブルによると、冷蔵保管が要求される化粧品を保管することができるように冷蔵機能を提供すると同時に、鏡の使用状態を調整することができ、使用する化粧品に対する移動動線を最小化し、ユーザビリティーと便宜性を向上させることができるというメリットがある。
【０１２８】
また、本発明によると、スマートフォン端末機と連携できる機能を付加し、音楽やスマートフォンの充電を同時に実行できる機能性コスメテーブルを提供することによって、消費者の好みの選択の幅を広げ、製品の競争力を増大させることができるというメリットがある。
【０１２９】
また、本発明によると、手動補助開閉パネルを介して簡単に化粧品を取り出せるようにし、ユーザビリティーと機能性をさらに向上させるというメリットがある。
【産業上の利用可能性】
【０１３０】
本発明は、化粧品を所定温度で収納して保管する化粧台であるコスメテーブルに適用できる。
【図１】
2020535851.tif 000003
【図２】
2020535851.tif 000004
【図３】
2020535851.tif 000005
【図４】
2020535851.tif 000006
【図５】
2020535851.tif 000007
【図６】
2020535851.tif 000008
【図７】
2020535851.tif 000009
【図８】
2020535851.tif 000010
【図９】
2020535851.tif 000011
【図１０】
2020535851.tif 000012
【図１１】
2020535851.tif 000013
【図１２】
2020535851.tif 000014
【図１３】
2020535851.tif 000015
【図１４】
2020535851.tif 000016
【図１５】
2020535851.tif 000017
【図１６】
2020535851.tif 000018
【図１７】
2020535851.tif 000019
【図１８】
2020535851.tif 000020
【図１９】
2020535851.tif 000021
【図２０】
2020535851.tif 000022
【図２１】
2020535851.tif 000023
【図２２】
2020535851.tif 000024
【国際調査報告】
2020535851.tif 000025
2020535851.tif 000026
2020535851.tif 000027
2020535851.tif 000028